(57)【要約】【課題】ガスメータにおいて、流量計測部への塵挨の流入を防止すること。【解決手段】ガスメータ１の筺体２内において流量計測部１０の入口部１１を前記筺体２内に開口するとともに前記流量計測部１０の出口部１２を前記流出部４に接続し、仕切板１４を前記流入部３から前記入口部１１への流れを迂回させる位置に配置することにより、ガスメータ１の筺体２内の広い空間にて流速を遅くして塵挨の落下を容易にするとともに、流量計測部１０に入る前に仕切板１４により流れを迂回させ、その間に塵挨の落下頻度を増加し、これらの総合効果により流量計測部１０への塵挨流入を防止することができる。【選択図】図１
2014157016.tif 000002
【特許請求の範囲】
【請求項１】
筺体と、前記筺体に設けられた流入部、および流出部と、前記筺体内に配置され、入口部と出口部とを有する流量計測部と、前記筺体内部に配置した仕切板とよりなり、前記流量計測部は入口部を前記筺体内に開口するとともに前記流量計測部の出口部を前記流出部に接続し、前記仕切板は前記流入部から前記入口部への流れを迂回させる位置に配置したガスメータ。
【発明の詳細な説明】
【技術分野】
【０００１】
本発明は、流量計測部への塵挨流入を防止するガスメータに関するものである。
【背景技術】
【０００２】
従来、この種のガスメータは、流量計測部の上流側に異物除去用のフィルタを設けている（例えば、特許文献１参照）。
【０００３】
図４は、特許文献１に記載された従来のガスメータを示すものである。
【０００４】
図４に示すように、ガスメータ１０１は、流入口１０２と、流出口１０３と、を有しており、ガスメータ１０１の内部では、フィルタ１０４と、遮断弁１０５と、下向き流路１０６と、流量計測部が配設された水平流路１０７と、上向き流路１０８とが連続して接続されており、これらが流入口１０２と流出口１０３との間に配置された構成となっている。
【先行技術文献】
【特許文献】
【０００５】
【特許文献１】特開２００４−１０１３０３号公報
【発明の概要】
【発明が解決しようとする課題】
【０００６】
しかしながら、前記従来の構成では、流入口１０２より流入した異物は、流入口１０２直後のフィルタ１０４に堆積するため、長期間の後には圧力損失となり、ガスメータ１０１に所定の流量を流すことができなくなるという課題を有していた。
【０００７】
本発明は、前記従来の課題を解決するもので、フィルタを用いることなく流量計測部への塵挨の流入を防止するようにしたガスメータを提供するものである。
【課題を解決するための手段】
【０００８】
前記従来の課題を解決するために、本発明のガスメータは、筺体と、前記筺体に設けられた流入部、および流出部と、前記筺体内に配置され、入口部と出口部とを有する流量計測部と、前記筺体内部に配置した仕切板とよりなり、前記流量計測部は入口部を前記筺体内に開口するとともに前記流量計測部の出口部を前記流出部に接続し、前記仕切板は前記流入部から前記入口部への流れを迂回させる位置に配置したものである。
【０００９】
これによって、流入部より流入したガスの流れを、いったんガスメータの筺体内の広い空間に開放して流速を遅くして塵挨の落下を容易にするとともに、さらに流量計測部に入る前に仕切板により流れを迂回させ、その間に塵挨の落下頻度を増加し、これらの総合効果により流量計測部への塵挨流入を防止するようにしたものである。
【発明の効果】
【００１０】
本発明のガスメータは、流速の低下と仕切板による流れの迂回により流量計測部への塵挨流入を防止することができる。
【図面の簡単な説明】
【００１１】
【図１】本発明の実施の形態１におけるガスメータの垂直断面図
【図２】本発明の実施の形態２におけるガスメータの垂直断面図
【図３】本発明の実施の形態３におけるガスメータの垂直断面図
【図４】従来のガスメータの垂直断面図
【発明を実施するための形態】
【００１２】
第１の発明は、筺体と、前記筺体に設けられた流入部、および流出部と、前記筺体内に配置され、入口部と出口部とを有する流量計測部と、前記筺体内部に配置した仕切板とよりなり、前記流量計測部は入口部を前記筺体内に開口するとともに、前記流量計測部の出口部を前記流出部に接続し、前記仕切板は前記流入部から前記入口部への流れを迂回させる位置に配置することにより、流入部より流入したガスの流れを、いったんガスメータの筺体内の広い空間に開放して流速を遅くして塵挨の落下を容易にするとともに、さらに流量計測部に入る前に仕切板により流れを迂回させ、その間に塵挨の落下頻度を増加し、これらの総合効果により流量計測部への塵挨流入を防止するようにしたものである。
【００１３】
以下、本発明の実施の形態について、図面を参照しながら説明する。なお、本実施の形態によって本発明が限定されるものではない。
【００１４】
（実施の形態１）
実施の形態１について、図１を参照しながら説明する。図１は、本発明の第１の実施の形態におけるガスメータの垂直断面図を示すものである。
【００１５】
図１において１はガスメータである。ガスメータ１の筺体２は、流入部３と流出部４を有している。流入部３には流入パイプ５、流出部４には流出パイプ６が接続されている。
【００１６】
筺体２の内部において、流入部３には遮断弁７が接続されている。この遮断弁７の入口端８は流入部３に接続され、出口端９は筺体２の内部に開放されている。
【００１７】
また、筺体２の内部には、流量計測部１０が、配置されている。流量計測部１０は入口部１１と出口部１２を有しており、入口部１１は筺体２の内部に開放されており、出口部１２は接続部１３により流出部４に接続されている。
【００１８】
流量計測部１０としては、例えば超音波で流量を計測する方式のものや、フローセンサで流量を計測するものがある。また、超音波で計測するもので、その流路内部を板で複数に分割するものも含まれる。
【００１９】
筺体２の内部には仕切板１４が配置されている。仕切板１４は、遮断弁７の出口端９から筺体２の内部に流出するガスが、直接、流量計測部１０の入口部１１に流入しないように配置されている。
【００２０】
本実施の形態の場合、仕切板１４は筺体２の左側面１５に取り付けられ、水平方向に筺体２の奥行き方向一杯の幅で流量計測部１０の出口部１２の近傍までの長さで配置されている。
【００２１】
すなわち、仕切板１４は、流入部３から流量計測部１０の入口部１１への流れを迂回させる位置に配置されている。
【００２２】
以上のように構成されたガスメータについて、以下、その動作、作用を説明する。
まず、流入パイプ５より流入したガスは、流入部３から遮断弁７の入口端８より入り、その後、出口端９より筺体２の内部空間に放出される。この内部空間は面積が流入部３より十分広いため、ガスの流速は遅くなりガスに含まれている塵挨はここでその一部が落下する。
【００２３】
筺体２の内部には、このガスの流れが流量計測部１０の入口部１１に直接入らないよう、仕切板１４が設けられている。この実施例の場合、流れは矢印Ｐ１、Ｐ２、Ｐ３の経路をたどり、その後、流量計測部１０の入口部１１より流量計測部１０に入り、流量計測が行われる。
【００２４】
この様に、ガスの流れる経路が仕切板１４により迂回され、塵埃の通過距離が長くなるため、その間に塵挨の落下頻度を増加することができる。
以上のように、本実施の形態においては、流入部より流入したガスの流れを、いったんガスメータの筺体２内の広い空間に開放し、流速を遅くして塵挨の落下を容易にするとともに、さらに流量計測部１０に入る前に仕切板１４により流れを迂回させ、その間に塵挨の落下頻度を増加させるため、これらの総合効果により流量計測部への塵挨流入を防止することができる。
【００２５】
（実施の形態２）
実施の形態２について、図２を用いて説明する。図２は、本発明の第２の実施の形態におけるガスメータの垂直断面図を示すものである。
【００２６】
実施の形態２において、実施の形態１と異なるところは、図２において、仕切板として、第１の仕切板１６、第２の仕切板１７が図２に示すように配置されている点のみである。その他の部分は実施の形態１と同じゆえ、同じ番号で示している。
【００２７】
本実施の形態の場合、流れは矢印Ｑ１，Ｑ２，Ｑ３，Ｑ４の経路をたどり、その後、流量計測部１０の入口部１１より流量計測部１０に入り、流量計測が行われる。
【００２８】
以上のように、本実施の形態においては、第１の仕切板１６、および第２の仕切板１７により、迂回経路をより長くすることで、流量計測部１０への塵埃流入をより効果的に防止することができる。
【００２９】
（実施の形態３）
実施の形態３について、図３を用いて説明する。図３は、本発明の第３の実施の形態におけるガスメータの垂直断面図を示すものである。
【００３０】
実施の形態３において、実施の形態１と異なるところは、図３において、仕切板として、変形仕切板１８が図３に示すように配置されている点のみである。その他の部分は実施の形態１と同じゆえ、同じ番号で示している。
【００３１】
本実施の形態の場合、流れは矢印Ｒ１，Ｒ２の経路をたどり、その後、流量計測部１０の入口部１１より流量計測部１０に入り、流量計測が行われる。
【００３２】
以上のように、本実施の形態においては、変形仕切板１８のようなコンパクトな形状の仕切板にて迂回経路を形成し、流量計測部１０への塵埃流入を防止することができる。
【００３３】
なお、本実施例で遮断弁を構成要素に加えたが、遮断弁がなくても同様の効果が発揮されるものである。
【産業上の利用可能性】
【００３４】
以上のように、本発明にかかるガスメータは、流量計測部への塵挨流入を防止することが可能となるので、家庭用から業務用に至る大型のガスメータまで幅広い用途に適用できる。
【符号の説明】
【００３５】
１  ガスメータ
２  筺体
３  流入部
４  流出部
１０  流量計測部
１１  入口部
１２  出口部
１４  仕切板
１６  第１の仕切板（仕切板）
１７  第２の仕切板（仕切板）
１８  変形仕切板（仕切板）
【図１】
2014157016.tif 000003
【図２】
2014157016.tif 000004
【図３】
2014157016.tif 000005
【図４】
2014157016.tif 000006